(57)【要約】  プラスチック若しくはポリマー材料製で、より大径の基部を有する、円錐台形の支持部材を含む支持足部であって、油圧若しくは機械的ジャッキのロッド端部に、足部を効果的で確実且つ迅速で簡単に着脱可能に連結する手段を備えることを特徴とする。
2014523835.tif 000002
【特許請求の範囲】
【請求項１】
プラスチック若しくはポリマー材料製で、より大径の基部を有する、実質的に円錐台形の支持部材を備えるスタビライザー用支持足部であって、前記足部は、油圧若しくは機械的ジャッキのロッド端部に、前記足部を効果的で確実且つ迅速で簡単に着脱可能に連結する手段を備えることを特徴とする、スタビライザー用支持足部。
【請求項２】
油圧若しくは機械的ジャッキのロッド端部に、前記足部を効果的で確実且つ迅速で簡単に着脱可能に連結する前記手段が、前記足部内に形成された球状ソケットを含み、該ソケットの口部は前記球状ソケットの直径よりも小さい直径を有し、前記球状ソケット内には球状金属ヘッドがスナップ嵌合し、該金属ヘッドは、前記球状ソケットの直径と相補的な直径を有し、前記油圧若しくは機械的ジャッキのロッドに担持されることを特徴とする、請求項１に記載の支持足部。
【請求項３】
油圧若しくは機械的ジャッキのロッド端部に、前記足部を効果的で確実且つ迅速で簡単に着脱可能に連結する前記手段が、前記足部内に形成された球状ハウジングを含み、該ハウジング内には、共成型によって金属製ボールが一体化され、該金属製ボールは、前記油圧若しくは機械的ジャッキに着脱可能に連結するための取付手段を有することを特徴とする、請求項１に記載の支持足部。
【請求項４】
油圧若しくは機械的ジャッキのロッド端部に、前記足部を効果的で確実且つ迅速で簡単に着脱可能に連結する前記手段が、前記足部のプラスチック若しくはポリマー材料でワンピースで作製された球状ドームを含み、該球状ドーム上には、球状金属製ソケットが支承される、請求項１に記載の支持足部。
【請求項５】
前記足部の前記プラスチック若しくはポリマー材料がポリアミドである、請求項１〜４のいずれか１項に記載の支持足部。
【請求項６】
前記ポリアミドがポリアミド６である、請求項５に記載の支持足部。
【発明の詳細な説明】
【技術分野】
【０００１】
本発明は、耐荷重が最大数トンに及ぶ自走式クレーン、トラッククレーン、はしご、巻き上げ機、足場、鉄骨構造体、その他の片持ち式に操作する装置のためのスタビライザーに関する。このような機器の安定性を高めるためには、釣り合いおもりだけでなく、機械的支持（持ち上げジャッキ、ラック、油圧ジャッキ）も使用し、これらは車両のサスペンションにかかる応力も削減する。
【背景技術】
【０００２】
現在、使用されている地面支持足部は、油圧ジャッキ等の機械的支持のシャンクのヘッドを載置する堅固なプレート（「パッド」と呼ばれる）（これらには、地面の凹凸に必ずしも十分に適合できないという大きな欠点があるが）、若しくはプラスチック若しくはポリマー材料製の足部を有する支持部材であり、後者の方が地面の凹凸により充分に適合可能である。
【０００３】
特に効果的であることが知られている、プラスチック若しくはポリマー材料製の足部を有するタイプの既知の支持部材を、添付図面の図１に示す。
【０００４】
この図面を参照して、符号１は、プラスチック若しくはポリマー材料製の足部を示す。このタイプの足部は一般に、ＰＡ６（ポリアミド６）等のプラスチック若しくはポリマー材料製の基部２を有する円錐台形等の形状のブロックからなる。足部１には球状空洞３が形成されており、油圧ジャッキ（図示せず）のロッド５に固定されている球状ヘッド４がこの空洞内に係合している。ヘッド４は、ボール４の外郭構造と一致するように球状に加工された開口部を規定する、二つ割りの金属若しくはプラスチック材料６製フランジによって、ブロック１に締結されており、フランジ６は、ボルト７によって足部１に安定的に固定されている。明らかに、このタイプの据え付けは複雑で、足部１をジャッキ５に対して取り付け、取外しする作業には、時間がかかる。
【発明の概要】
【発明が解決しようとする課題】
【０００５】
従って、本発明の目的は、従来技術の装置における欠点を克服した、油圧ジャッキ等の機械的支持装置のロッドを支持足部に連結するためのシステムを提供することにある。
【課題を解決するための手段】
【０００６】
この目的は、請求項１に記載される装置によって達成される。
【０００７】
他の目的及び利点は、添付図面を参照する以下の説明によって明らかになるであろう。
【図面の簡単な説明】
【０００８】
【図１】図１は、いくつかの部品を視野に入れた、従来技術の支持足部の直径方向断面図である。
【図２】図２は、いくつかの部品を視野に入れた、本発明の支持足部の第一実施態様を示す、図１と同様の直径方向断面図である。
【図３】図３は、いくつかの部品を視野に入れた、本発明の支持足部の第二実施態様を示す、図１及び図２と同様の直径方向断面図である。
【図４】図４は、本発明の支持足部の第三実施態様の側面立面図である。
【発明を実施するための形態】
【０００９】
以下の説明において、同一若しくは対応する部品は同じ符号で示す。
【００１０】
また以下の説明において、油圧ジャッキという場合には、ジャッキ、ラック、若しくは適切な機械的支持を提供することができる同様の装置と置き換えることができるものとする。
【００１１】
図２を参照して、符号１は、例えばポリアミド６である、脂肪族ポリアミド等のプラスチック若しくはポリマー材料製の支持足部を示す。この足部は、基部２上に静置した円錐台形等の形状のブロックの形態としてワンピースで作製される。足部１には球状空洞３が形成され、球の中線を越えて延在して、油圧ジャッキ（図示せず）のロッド５に固定されたボール４の直径ｄよりも小さい直径ｄ’の口部２０３を有し、口部２０３と球状ヘッド４との間の干渉度合いは約０．１％〜３％である。よって球状ヘッド４は、ボールの直径及び口部２０３とボール４との干渉度合いに合った圧力をかけることによって、口部２０３を通して球状空洞３内へスナップ嵌合させることができ、ヘッドに適切な牽引力をかけることによって、抜き出すことができる。
【００１２】
従って、安定化させようとする機器の油圧ジャッキ（若しくは同様の支持手段）のロッドは、例えば図１に示す足部１に対して取り付け・取り外しするために必要な工具を使用することなく、迅速で簡単な方法で足部１に対して係合及び／又は脱係合する。
【００１３】
図３に示す実施態様では、ボール１０４は、共成型（co-moulding）によって足部１に一体化され、足部１の上方部分から突出して平坦領域２０４を有し、その中心から溝穴３０４が延びて、その中に、油圧ジャッキのロッド５端部に固定された取付部材１０５が嵌合する。ジャッキのロッド５を足部１に締結するために、取付部材１０５は、ボール−バネ手段４０４等の弾性保持手段を使って、溝穴３０４と相互作用する。明らかに、弾性保持は省略することもでき、また、連結構造を、図示するようにジャッキのロッド５端部を雄型とし、ボール１０４側を雌型とする代わりに、ボール１０４側を雄型とし、ジャッキのロッド５端部を雌型として、連結のなめらかさを保証することもできる。
【００１４】
この場合にも、支持足部及び一体化された金属製ボールの寸法及び重量に合った程度の力若しくは牽引力を用いて、足部１はロッド５に対して迅速且つ簡単に締結・取外しされる。
【００１５】
図４は、本発明の別の変更例を示す。
【００１６】
この実施態様では、足部１は、足部１の材料でワンピースで作製された球状ドーム１０１を頂部に備え、このドームはジャッキのロッド５に担持される金属製球状ベアリング２０５を支承する大きなベアリング面を有する。
【００１７】
ベアリング２０５は、リンク８によって安定的に足部１に連結され、ジャッキのロッドとベアリング２０５とは着脱可能である。明らかに、ベアリング２０５をジャッキのロッドに安定的に接続したままとすることもできる。
【００１８】
本発明によれば多くの利点が得られる。他の利点として、ここに記載した解決手段は、故障、早期損耗、及び負荷下での予期し得ぬ破損につながる、水、泥、若しくは砂利が球状ヘッドと球状ソケットとの間に入り込むのを防止することができる。
【００１９】
明らかに、本発明は、図示及び／又は記載された実施態様に限定されるものではなく、請求の範囲に実質的に記載された、上記の目的のためのより広い発明の概念の範囲に入る全ての変更例及び改変例を含むものである。
【図１】
2014523835.tif 000003
【図２】
2014523835.tif 000004
【図３】
2014523835.tif 000005
【図４】
2014523835.tif 000006
【国際調査報告】
2014523835.tif 000007
2014523835.tif 000008
2014523835.tif 000009